(57)【要約】【課題】腕に装着されるバンドを本体ケースに取り付けて使用される腕時計等において、腕へのフィット感を向上させることのできるバンド取付構造を提供する。【解決手段】腕に装着されるバンド３を腕時計ケース２に取り付けるバンド取付構造において、腕時計ケース２とバンド３との連結部分に、腕時計ケース２及びバンド３にその裏面側から接触する接触部４１と、該接触部４１におけ腕時計ケース２及びバンド３の裏面側に接触する面から腕時計ケース２及びバンド３の表面側に向かって立設された補強部４２とを備える連結部材４が配置され、腕時計ケース２及びバンド３に、連結部材４の補強部４２が嵌め込まれる切り欠き部２８，３３が形成されている。【選択図】図２
2014151094.tif 000002
【特許請求の範囲】
【請求項１】
腕に装着されるバンドを本体ケースに取り付けるバンド取付構造において、
前記本体ケースと前記バンドとの連結部分に、前記本体ケース及び前記バンドにその裏面側から接触する接触部と、該接触部における前記本体ケース及び前記バンドの裏面側に接触する面から前記本体ケース及び前記バンドの表面側に向かって立設された補強部と、を備える連結部材が配置され、
前記本体ケース及び前記バンドに、前記連結部材の前記補強部が嵌め込まれる切り欠き部が形成されていることを特徴とするバンド取付構造。
【請求項２】
前記本体ケース及び前記バンドに形成されている前記切り欠き部は、前記本体ケース及び前記バンドの裏面側から表面側に貫通しており、
前記連結部材の前記補強部の上端部は、前記本体ケース及び前記バンドの表面側に露出していることを特徴とする請求項１に記載のバンド取付構造。
【請求項３】
前記本体ケースと前記バンドとは連結部分に棒状部材を挿通させることにより連結されており、
前記連結部材の前記補強部には、前記棒状部材を挿通させる貫通孔が形成されていることを特徴とする請求項１又は請求項２に記載のバンド取付構造。
【請求項４】
前記連結部材の前記補強部は、前記本体ケース側における断面積よりも前記バンド側における断面積が小さくなるように構成されていることを特徴とする請求項１から請求項３のいずれか一項に記載のバンド取付構造。
【発明の詳細な説明】
【技術分野】
【０００１】
本発明は、バンド取付構造に関するものである。
【背景技術】
【０００２】
従来、腕時計等の本体ケースにバンドを取り付ける取付構造として、取付孔が形成された取付突起部が側部に設けられた本体ケースと、本体ケースの取付突起部に取り付けられる先端部に、取付孔に対応して連続する状態で貫通孔が形成されたバンドと、取付突起部の取付孔及びバンドの貫通孔に連続して挿入される固定用の棒状部材（筒状部材、ねじ部材）を備えるものが知られている（例えば、特許文献１参照）。
【先行技術文献】
【特許文献】
【０００３】
【特許文献１】特許第５１３１５９２号公報
【発明の概要】
【発明が解決しようとする課題】
【０００４】
しかしながら、本体ケースにバンドが連結されたものを腕に装着する場合、本体ケースとバンドとの連結部分では、本体ケースやバンドと腕との間に隙間ができ、バンド等が腕から浮きやすいという問題がある。
特に本体ケースが腕の太さに対して大きい場合には、腕に装着した際に、本体ケースに対してバンドが直角に近い角度をもつため、本体ケースとバンドとの連結部分において腕との間に大きく隙間が開き、バンド等が腕にフィットせず、装着性が悪くなりやすい。
【０００５】
本発明は以上のような事情に鑑みてなされたものであり、腕に装着されるバンドを本体ケースに取り付けて使用される腕時計等において、腕へのフィット感を向上させることのできるバンド取付構造を提供することを目的とするものである。
【課題を解決するための手段】
【０００６】
前記課題を解決するために、本発明に係るバンド取付構造は、
腕に装着されるバンドを本体ケースに取り付けるバンド取付構造において、
前記本体ケースと前記バンドとの連結部分に、前記本体ケース及び前記バンドにその裏面側から接触する接触部と、該接触部における前記本体ケース及び前記バンドの裏面側に接触する面から前記本体ケース及び前記バンドの表面側に向かって立設された補強部と、を備える連結部材が配置され、
前記本体ケース及び前記バンドに、前記連結部材の前記補強部が嵌め込まれる切り欠き部が形成されていることを特徴としている。
【発明の効果】
【０００７】
本発明によれば、腕時計等において、本体ケースやバンドの腕への装着性が向上し、優れたフィット感を得ることができるという効果を奏する。
【図面の簡単な説明】
【０００８】
【図１】第１の実施形態におけるバンド取付構造が適用された腕時計の正面図である。
【図２】図１に示す腕時計を矢視II方向から見た側面図である。
【図３】図１に示す腕時計のIII線に沿う断面図である。
【図４】ケース枠体とバンドと連結部材との関係を示す斜視図である。
【図５】腕時計ケースの６時側のみに連結部材を取り付けた状態を示す正面図である。
【図６】腕時計ケースの６時側のみに連結部材を取り付けた状態を示す裏面図である。
【図７】（ａ）は、図５に示す腕時計を矢視IV方向から見た上面図であり、（ｂ）は、図５に示す腕時計を矢視V方向から見た底面図であり、（ｃ）は、図５に示す腕時計を矢視VI方向から見た右側面図であり、（ｄ）は、図５に示す腕時計を矢視VII方向から見た左側面図である。
【図８】第１の実施形態の連結部材の斜視図である。
【図９】図８に示す連結部材の側面図である。
【図１０】（ａ）は、図９に示す連結部材を矢視VIII方向から見た上面図であり、（ｂ）は、図９に示す連結部材を矢視IX方向から見た下面図であり、（ｃ）は、図９に示す連結部材を矢視X方向から見た平面図であり、（ｄ）は、図９に示す連結部材を矢視VII方向から見た平面図である。
【図１１】（ａ）は、図９における補強部のXII線に沿う断面図であり、（ｂ）は、図９における補強部のXIII線に沿う断面図である。
【図１２】（ａ）は、第２の実施形態の連結部材の上面図であり、（ｂ）は、（ａ）に示す連結部材の側面図である。
【図１３】（ａ）は、第３の実施形態の連結部材の上面図であり、（ｂ）は、（ａ）に示す連結部材の側面図である。
【図１４】（ａ）は、第４の実施形態の連結部材の上面図であり、（ｂ）は、（ａ）に示す連結部材の側面図である。
【発明を実施するための形態】
【０００９】
［第１の実施形態］
図１から図１１を参照しつつ、本発明に係るバンド連結構造の第１の実施形態を説明する。なお、以下に述べる実施形態には、本発明を実施するために技術的に好ましい種々の限定が付されているが、本発明の範囲を以下の実施形態及び図示例に限定するものではない。
【００１０】
図１は、本実施形態に係るバンド連結構造が適用された腕時計の正面図であり、図２は、腕時計を図１における矢視II方向から見た側面図である。また、図３は、図１におけるIII線に沿った断面図である。
図１、図２等に示すように、本実施形態において、腕時計１は、本体ケースとしての腕時計ケース２と、この腕時計ケース２に取り付けられたバンド３と、腕時計ケース２とバンド３との連結部分に配置された連結部材４とを備えている。
【００１１】
図３に示すように、腕時計ケース２は、中空の短柱形状に形成された筒状部２１ａを有するケース枠体２１と、透明なガラス等で形成されこのケース枠体２１の筒状部２１ａの上部に取り付けられた風防部材２２と、ケース枠体２１の筒状部２１ａの下面に取り付けられた裏蓋２３とを備えている。なお、腕時計ケース２の形状は図示例に限定されない。また、腕時計ケース２の構成は、ここに例示したものに限定されず、例えば、ケース枠体２１と裏蓋２３とが一体となった構成でもよい。
また、本実施形態では、腕時計ケース２の上部外周に、ベゼル２４が設けられている。さらに、本実施形態の腕時計ケース２の側部外周には、時刻合わせ等、種々の操作を行うための操作ボタン２５が複数設けられている。
ケース枠体２１、裏蓋２３及びベゼル２４等は、例えば各種樹脂材料や、ステンレス、チタニウム等の金属材料、セラミックス等、又はこれらの組み合せで形成されている。なお、ケース枠体２１、裏蓋２３及びベゼル２４を形成する材料は例示したものに限定されない。
【００１２】
図４は、ケース枠体２１とバンド３と連結部材４との関係を示す斜視図である。また、図５は、図４の腕時計ケース２に連結部材４が取り付けられた状態の正面図（すなわち風防部材２２が取り付けられる側を示す図）であり、図６は、図４の腕時計ケース２に連結部材４が取り付けられた状態の裏面図（すなわち裏蓋２３が取り付けられる側を示す図）である。なお、図４では、腕時計ケース２から風防部材２２、裏蓋２３、ベゼル２４及び操作ボタン２５を取り外した状態のケース枠体２１を示し、図５及び図６では、腕時計ケース２から裏蓋２３及び操作ボタン２５を取り外した状態を示している。
また、図７（ａ）は、図５における矢視IV方向から見た上面図であり、図７（ｂ）は、図５における矢視V方向から見た底面図であり、図７（ｃ）は、図５における矢視VI方向から見た右側面図であり、図７（ｄ）は、図５における矢視VII方向から見た左側面図である。
なお、図４から図７（ａ）〜図７（ｄ）では、いずれも腕時計の６時側のみに連結部材４が配置されている状態を示している。
【００１３】
図１から図４等に示すように、腕時計ケース２の上下（図１における上下）の両端部、すなわち腕時計の１２時側の端部及び６時側の端部には、バンド３が取り付けられるバンド取付部２６が設けられている。本実施形態では、図７（ａ）から図７（ｄ）に示すように、腕時計ケース２のケース枠体２１の筒状部２１ａの上下（図１における上下）の両端部から腕時計１における裏面側の下方に向けて斜めに突出するように一対のバンド取付部２６が形成されている。
腕時計ケース２のバンド取付部２６には、棒受け孔２７が形成されている。棒受け孔２７は、腕時計ケース２とバンド３とを連結させる棒状部材であるばね棒５が腕時計１における左右方向（図１における左右方向）に挿通される貫通孔である。なお、本実施形態では、棒受け孔２７が腕時計１における左右方向にバンド取付部２６を貫通している場合を図示しているが、棒受け孔２７は、貫通孔に限定されず、ばね棒５（棒状部材）の先端部を受ける孔又は凹部であってもよい。
図５、図６等に示すように、バンド取付部２６には、連結部材４の補強部４２（後述）が嵌め込まれる切り欠き部２８が形成されている。切り欠き部２８は、図３等に示すように、後述する連結部材４の凸部４４と嵌り合う形状となっている。また、本実施形態では、切り欠き部２８は、腕時計ケース２の裏面側から表面側に貫通している。
【００１４】
また、腕時計ケース２の内部には、例えば電子機器としての腕時計１の表示装置６やこの表示装置６等を動作させるための各種電子部品等（図示せず）が搭載された時計モジュール７が収容されている。なお、表示装置６は、指針や文字板等を備えるアナログ式のものでもよいし、液晶パネルや有機ＥＬ（Electro-Luminescence）等で構成されたデジタル式のものでもよい。また、表示装置６は、アナログ式のものとデジタル式のものとが組み合わされたものであってもよい。
【００１５】
バンド３は、例えば各種樹脂材料や、ステンレス、チタニウム等の金属材料、セラミックス等、又はこれらの組み合せで形成されている。なお、バンド３を形成する材料は例示したものに限定されない。
バンド３における腕時計ケース２との連結側の端部は、腕時計ケース２のバンド取付部２６の形状に合う形状に形成された連結部３１となっている。バンド３を腕時計ケース２に取り付ける際には、図４等に示すように、連結部３１は、腕時計ケース２の一対のバンド取付部２６の間に嵌め込まれる。連結部３１には、バンド取付部２６の棒受け孔２７に対応する位置に、腕時計ケース２とバンド３とを連結させる棒状部材であるばね棒５が挿通される貫通孔３２が形成されている。
また、連結部３１における腕時計ケース２の切り欠き部２８に対応する位置には、連結部材４が嵌め込まれる切り欠き部３３が形成されている。本実施形態では、切り欠き部３３は、バンド３の裏面側から表面側に貫通している。
【００１６】
連結部材４は、腕時計ケース２とバンド３との連結部分に配置されており、腕時計ケース２及びバンド３にその裏面側から接触する接触部４１と、該接触部４１における腕時計ケース２及びバンド３の裏面側に接触する面から腕時計ケース２及びバンド３の表面側に向かって立設された補強部４２と、を備えている。
連結部材４は、例えば、ポリウレタン等の軟質の合成樹脂により一体成型されている。なお、連結部材４を形成する材料は、ある程度柔軟性を有するものであればよく、ここに例示したものに限定されない。
【００１７】
図８は、本実施形態における連結部材４の斜視図であり、図９は、連結部材４の側面図である。また、図１０（ａ）は、連結部材４を図９における矢視VIII方向から見た上面図であり、図１０（ｂ）は、連結部材４を図９における矢視IX方向から見た下面図であり、図１０（ｃ）は、連結部材４を図９における矢視X方向から見た平面図であり、図１０（ｄ）は、連結部材４を図９における矢視XI方向から見た平面図である。
【００１８】
図２及び図３、図８及び図９に示すように、接触部４１は、腕時計ケース２及びバンド３の裏面の形状に沿うように、側面視において全体が緩やかにカーブしている。また、接触部４１における腕時計ケース２側の端部は、腕時計ケース２の形状（本実施形態では、ケース枠体２１の筒状部２１ａの形状）に沿う円弧状の凹部４１ａとなっている。なお、接触部４１の形状、大きさ等は、連結部材４を取り付ける腕時計１の腕時計ケース２及びバンド３の形状、大きさ等に応じて適宜設計されるものであり、図示例には限定されない。
【００１９】
補強部４２は、接触部４１の幅方向（図１０（ａ）における横方向）におけるほぼ中央に、接触部４１の幅方向に直交する方向（図１０（ａ）における縦方向）に延在して設けられた板状の部である。本実施形態では、補強部４２は全体がほぼ均一の厚みとなっている。
前述のように、腕時計ケース２の切り欠き部２８及びバンド３の切り欠き部３３は、腕時計ケース２及びバンド３の裏面側から表面側に貫通しており、補強部４２の上端部４２ａは、この切り欠き部２８，３３から腕時計ケース２及びバンド３の表面側に露出している。
連結部材４は、例えば赤色等の、腕時計ケース２及びバンド３に対して目立つ色で形成されており、連結部材４の一部である補強部４２の上端部４２ａを腕時計ケース２及びバンド３の表面側に露出させることにより、デザインのアクセントとなるとともに、腕時計１の向いている方向等を示す指標としての役割も果たすことができる。
【００２０】
補強部４２には、連結部材４を腕時計ケース２及びバンド３の連結部分に配置した際に腕時計ケース２の棒受け孔２７及びバンド３の貫通孔３２に対応する位置に、ばね棒５が挿通される貫通孔４３が形成されている。
また、補強部４２における腕時計ケース２側の端部には、腕時計ケース２側に突出する凸部４４が形成されている。この凸部４４は、腕時計ケース２のバンド取付部２６の切り欠き部２８と嵌合し、バンド３が腕時計ケース２に対して上下方向に回転し過ぎるのを抑止する回転防止部として機能する。
【００２１】
また、本実施形態では、連結部材４の補強部４２は、バンド３側における断面積が腕時計ケース２側における断面積よりも小さくなるように構成されている。
図１１（ａ）は、補強部４２の図９における一点鎖線XIIで示す部分（バンド３側の部分）の断面図であり、図１１（ｂ）は、補強部４２の図９における一点鎖線XIIIで示す部分（腕時計ケース２側の部分）の断面図である。
本実施形態では、補強部４２は、バンド３側の方が腕時計ケース２側よりも高さが低くなっているため、図１１（ａ）及び図１１（ｂ）に示すように、バンド３側における断面積（図１１（ａ）に示す部分の面積）が、腕時計ケース２側における断面積（図１１（ｂ）に示す部分の面積）よりも小さくなっている。補強部４２の断面積は、腕時計ケース２側からバンド３側に向かって無段階的に小さくなっていてもよいし、段階的に断面積が小さくなっていてもよい。
なお、補強部４２のバンド３側における断面積を腕時計ケース２側における断面積よりもどの程度小さくするかは特に限定されないが、補強部４２の強度等の観点からは、バンド３側における断面積が腕時計ケース２側における断面積の３分の２程度であることが好ましい。
【００２２】
次に、本実施形態におけるバンド取付構造の作用について説明する。
本実施形態において、腕時計ケース２とバンド３と連結部材４とは、連結部分において、腕時計ケース２の棒受け孔２７とバンド３の貫通孔３１と連結部材４の貫通孔４３とにばね棒５を挿通させることにより連結されている。
具体的には、まず、連結部材４を、接触部４１が腕時計ケース２の裏面側に接触するとともに、補強部４２の凸部４４が形成されている側が腕時計ケース２側に位置するように配置して、連結部材４の補強部４２を腕時計ケース２のバンド取付部２６の切り欠き部２８に嵌め込む。次に、バンド３の連結部３１を腕時計ケース２のバンド取付部２６に嵌め込む。このとき、連結部３１の切り欠き部３３に連結部材４の補強部４２が嵌め込まれる。このように、腕時計ケース２とバンド３との間に連結部材４を介在させた状態で、腕時計ケース２の棒受け孔２７とバンド３の貫通孔３１と連結部材４の貫通孔４３とを貫くようにばね棒５を挿通させる。これにより、バンド３が腕時計ケース２に取り付けられる。
連結部材４の補強部４２の凸部４４がバンド取付部２６の切り欠き部２８に嵌め込まれていることにより、バンド３は、腕時計ケース２に取り付けられた状態において、ある程度上下方向への回動が規制される。また、補強部４２におけるバンド３側の断面積が腕時計ケース２側の断面積よりも小さいことにより、腕時計１を腕に装着した際、バンド３が、腕時計ケース２に対しては強固に連結された状態を保ちながら、腕の動き等に応じて柔軟に撓り、腕にフィットする。
なお、同じ形状で色や柄等の異なる連結部材４を複数種類用意すれば、ユーザが適宜好みの色や柄の連結部材４を選んで連結部分に取り付けることにより、デザインのバリエーションを手軽に楽しむことも可能である。
【００２３】
以上のように、本実施形態によれば、腕時計ケース２とバンド３との連結部分に、腕時計ケース２及びバンド３にその裏面側から接触する接触部４１と、該接触部４１における腕時計ケース２及びバンド３の裏面側に接触する面から腕時計ケース２及びバンド３の表面側に向かって立設された補強部４２とを備える連結部材４を配置し、連結部材４の補強部４２が腕時計ケース２の切り欠き部２８及びバンド３の切り欠き部３３に嵌め込まれるようになっている。
腕時計１のように、腕時計ケース２（本体ケース）にバンド３が連結されたものを腕に装着する場合、腕時計ケース２とバンド３との連結部分では、腕時計ケース２やバンド３と腕との間に隙間ができ、バンド３等が腕から浮いてしまいやすい。
この点、本実施形態におけるバンド取付構造のように、腕時計ケース２からバンド３にかけて、その連結部分を裏面側から覆うように接触部４１を配置した場合には、ユーザが腕時計１を腕に装着した際に、腕時計ケース２とバンド３との連結部分にできる隙間を接触部４１が埋めるため、バンド３等が腕にフィットし、腕時計１の付け心地が向上する。また、接触部４１に立設された補強部４２が腕時計ケース２及びバンド３の切り欠き部２８、３３に嵌め込まれているため、腕の動き等によってバンド３が動いても、接触部４１が捩れたり撚れたりしにくく、バンド３等が腕から浮くのを防止して、フィット感を維持することができる。
また、腕時計ケース２及びバンド３に形成されている切り欠き部２８、３３は、腕時計ケース２及びバンド３の裏面側から表面側に貫通しており、連結部材４の補強部４２の上端部４２ａは、腕時計ケース２及びバンド３の表面側に露出している。これにより、腕時計ケース２及びバンド３の連結部分におけるデザインの自由度を高め、デザイン性を向上させることができる。例えば、腕時計ケース２やバンド３が黒色の場合に、赤色の連結部材４を配置すれば、腕時計ケース２とバンド３との連結部分に赤色の補強部４２の上端部４２ａを腕時計１の表面に出すことができ、デザインのアクセントにすることができる。また、腕時計１にコンパス機能等が付いている場合に、赤色等の目立つ色の補強部４２を腕時計１における１２時側、６時側のほぼ中央に露出させることで、当該腕時計１の向いている方向を示す指標として用いることもできる。
また、本実施形態では、連結部材４の補強部４２に、棒状部材としてのばね棒５を挿通させる貫通孔４３を形成して、腕時計ケース２とバンド３と連結部材４とを、１本のばね棒５によって連結している。これにより、バンド３の連結に必要な部材が少なくてすむとともに、バンド３及び連結部材４の着脱が容易となっている。このため、ユーザ自身で適宜バンド３及び連結部材４の着脱を行うことができ、例えば、好みに応じて連結部材４を色の異なるものに交換する等により、デザインのバリエーションを簡易に楽しむことも可能となる。
また、連結部材４の補強部４２は、腕時計ケース２側における断面積よりもバンド３側における断面積が小さくなるように構成されている。これにより、腕時計ケース２側においては、接触部４１をしっかりと支えることができるとともに、バンド３側では、腕やバンド３の動きに柔軟に対応することができ、ユーザが腕時計１を腕に装着した際に、より優れたフィット感を得ることができる。
また、本実施形態では、連結部材４がポリウレタン等の軟質の合成樹脂で形成されているため、腕時計１を腕に装着した際、接触部４１が腕との間の隙間を埋めるように適度に変形してフィット感を高めることができる。また、連結部材４が軟質の合成樹脂で形成されていることにより、腕時計ケース２やバンド３の下面側からの衝撃を連結部材４によって緩和あるいは吸収することができ、耐衝撃性にも優れている。
さらに、本実施形態では、接触部４１は、腕時計ケース２及びバンド３の裏面の形状に沿うように、側面視において全体が緩やかにカーブしている。このため、この接触部４１が腕の形状に自然に馴染み、よりフィット感を得ることができる。
【００２４】
［第２の実施の形態］
次に、図１２（ａ）及び図１２（ｂ）を参照しつつ、本発明に係るバンド取付構造の第２の実施形態について説明する。なお、本実施形態は、連結部材の構成のみが第１の実施形態と異なるものであるため、以下においては、特に第１の実施形態と異なる点について説明する。
【００２５】
図１２（ａ）は、本実施形態における連結部材を上方から見た平面図であり、図１２（ｂ）は、図１２（ａ）に示す連結部材の側面図である。
図１２（ａ）及び図１２（ｂ）に示すように、本実施形態において連結部材４の補強部４６は、第１の実施形態と同様に、バンド３側の高さが腕時計ケース２側の高さよりも低くなっている。さらに、本実施形態では、腕時計ケース２側における幅方向（図１２（ａ）において横方向、連結部材４を腕時計ケース２とバンド３との間に配置した際のバンド３の幅方向）の厚みよりもバンド３側における幅方向の厚みが薄くなる、上面視においてほぼ台形状に形成されている。
これにより、補強部４６は、腕時計ケース２側における断面積よりもバンド３側における断面積が小さくなっている。
【００２６】
また、図示は省略するが、本実施形態では、腕時計ケース２に形成されている切り欠き部及びバンド３に形成されている切り欠き部は、連結部材４の補強部４６の形状に合うように、腕時計ケース２側からバンド３側にいくにしたがって徐々に幅が狭くなっている。
【００２７】
なお、その他の構成は、第１の実施形態と同様であることから、同一部材には同一の符号を付して、その説明を省略する。
【００２８】
次に、本実施形態におけるバンド取付構造の作用について説明する。
本実施形態において、腕時計ケース２にバンド３を取り付ける際には、まず、連結部材４を、接触部４１が腕時計ケース２の裏面側に接触するとともに、補強部４６の凸部４４が形成されている側が腕時計ケース２側に位置するように配置して、連結部材４の補強部４６を腕時計ケース２のバンド取付部の切り欠き部に嵌め込む。次に、バンド３の連結部を腕時計ケース２のバンド取付部に嵌め込む。このとき、連結部の切り欠き部に連結部材４の補強部４６が嵌め込まれる。そして、腕時計ケース２の棒受け孔２７とバンド３の貫通孔３１と連結部材４の貫通孔４３とを貫くようにばね棒５を挿通させることにより、バンド３が腕時計ケース２に取り付けられる。
連結部材４の補強部４６は、バンド３側の断面積が腕時計ケース２側の断面積よりも小さいことにより、腕時計１を腕に装着した際、バンド３が、腕時計ケース２に対しては強固に連結された状態を保ちながら、腕の動き等に応じて柔軟に撓り、腕にフィットする。
【００２９】
なお、その他の点については、第１の実施形態と同様であることから、その説明を省略する。
【００３０】
以上のように、本実施形態によれば、第１の実施形態と同様の効果を得られる他、以下の効果を得ることができる。
すなわち、本実施形態では、連結部材４の補強部４６の高さだけでなく幅方向の厚みをも変えることで、バンド３側の断面積が腕時計ケース２側の断面積よりも小さくなるように断面積の調整を行っている。このため、高さのみによって補強部の断面積を調整する場合よりも腕時計ケース２側の断面積とバンド３側の断面積とを大きく変化させることができ、腕時計ケース２側においては、接触部４１をしっかりと支えることができるとともに、バンド３側では、腕やバンド３の動きに柔軟に対応することができる。これにより、ユーザが腕時計１を腕に装着した際に、優れたフィット感を得ることができる。
【００３１】
なお、本実施形態では、連結部材４の補強部４６の高さと幅方向の厚みの両方を変えて補強部４６の断面積を調整する場合について例示したが、補強部４６の断面積の調整の仕方はこれに限定されない。
補強部４６の厚みを場所によって変える場合には、例えば、補強部４６の高さを均一とし、厚みのみで補強部４６の断面積を調整することも可能である。
このように、補強部４７厚みを変える場合には、腕時計のデザイン上の制約等により補強部４６の高さにあまり変化を付けられない場合でも、補強部４６の断面積を調整することができ、ユーザが腕時計１を腕に装着した際に、優れたフィット感を得ることができる。
【００３２】
［第３の実施の形態］
次に、図１３（ａ）及び図１３（ｂ）を参照しつつ、本発明に係るバンド取付構造の第３の実施形態について説明する。なお、本実施形態は、連結部材の構成のみが第１の実施形態等と異なるものであるため、以下においては、特に第１の実施形態等と異なる点について説明する。
【００３３】
図１３（ａ）は、本実施形態における連結部材を上方から見た平面図であり、図１３（ｂ）は、図１３（ａ）に示す連結部材の側面図である。
図１３（ａ）及び図１３（ｂ）に示すように、本実施形態では、連結部材４には、接触部４１の上に、図１３（ａ）における縦方向（連結部材４を腕時計ケース２とバンド３との間に配置した際のバンド３の延在方向）にほぼ平行して２つの補強部４７が設けられている。
各補強部４７は、第１の実施形態と同様に、バンド３側の高さが腕時計ケース２側の高さよりも低くなっており、これにより、補強部４７は、腕時計ケース２側における断面積よりもバンド３側における断面積が小さくなっている。
【００３４】
また、図示は省略するが、本実施形態では、腕時計ケース２及びバンド３には、連結部材４の補強部４７の形状に合わせて、それぞれ２つの切り欠き部がほぼ平行して設けられる。
【００３５】
なお、その他の構成は、第１の実施形態等と同様であることから、同一部材には同一の符号を付して、その説明を省略する。
【００３６】
次に、本実施形態におけるバンド取付構造の作用について説明する。
本実施形態において、腕時計ケース２にバンド３を取り付ける際には、まず、連結部材４を、接触部４１が腕時計ケース２の裏面側に接触するとともに、補強部４７の凸部４４が形成されている側が腕時計ケース２側に位置するように配置して、連結部材４の補強部４７を腕時計ケース２のバンド取付部の切り欠き部に嵌め込む。次に、バンド３の連結部を腕時計ケース２のバンド取付部に嵌め込む。このとき、連結部の切り欠き部に連結部材４の補強部４７が嵌め込まれる。そして、腕時計ケース２の棒受け孔２７とバンド３の貫通孔３１と連結部材４の貫通孔４３とを貫くようにばね棒５を挿通させることにより、バンド３が腕時計ケース２に取り付けられる。
連結部材４の補強部４７は、バンド３側の断面積が腕時計ケース２側の断面積よりも小さいことにより、腕時計１を腕に装着した際、バンド３が、腕時計ケース２に対しては強固に連結された状態を保ちながら、腕の動き等に応じて柔軟に撓り、腕にフィットする。
【００３７】
なお、その他の点については、第１の実施形態と同様であることから、その説明を省略する。
【００３８】
以上のように、本実施形態によれば、第１の実施形態と同様の効果を得られる他、以下の効果を得ることができる。
すなわち、本実施形態では、連結部材４に２つの補強部４７が設けられており、それぞれバンド３側の断面積が腕時計ケース２側の断面積よりも小さくなるように断面積の調整を行っている。
このように、連結部材４に複数の補強部４７を設けて、それぞれに断面積の調整を行った場合には、連結部材４の幅方向の中央部分に１つ補強部を設けて断面積の調整を行う場合と比較して、バンド３の幅方向の中央部分やその近傍にとどまらず、腕時計１やバンド３全体についての撓り具合の調整をより適切に行うことができる。これにより、腕時計ケース２側においては、接触部４１をしっかりと支えることができるとともに、バンド３側では、腕やバンド３の動きに柔軟に対応することができ、ユーザが腕時計１を腕に装着した際に、優れたフィット感を得ることができる。
【００３９】
なお、本実施形態では、連結部材４に２つの補強部４７がほぼ平行に配置されている場合を例示したが、補強部４７の数は２つに限定されず、３つ以上であってもよい。
また、補強部４７は必ずしも平行に設けられている必要はなく、補強部４７の配置は適宜変更可能である。例えば、２つの補強部４７が、バンド３側から腕時計ケース２側に向かって、ほぼＶ字型に開くような配置となっていてもよい。
【００４０】
［第４の実施の形態］
次に、図１４（ａ）及び図１４（ｂ）を参照しつつ、本発明に係るバンド取付構造の第４の実施形態について説明する。なお、本実施形態は、連結部材の構成のみが第１の実施形態等と異なるものであるため、以下においては、特に第１の実施形態等と異なる点について説明する。
【００４１】
図１４（ａ）は、本実施形態における連結部材を上方から見た平面図であり、図１４（ｂ）は、図１４（ａ）に示す連結部材の側面図である。
図１４（ａ）及び図１４（ｂ）に示すように、本実施形態において連結部材４の補強部４８は、上面視においてほぼＸ字型となる形状に形成されている。
なお、図１４（ｂ）に示すように、補強部４８を側面から見た場合の形状は、第１の実施形態等とほぼ同様であり、バンド３側の高さが腕時計ケース２側の高さよりも低くなっている。これにより、補強部４６は、腕時計ケース２側における断面積よりもバンド３側における断面積が小さくなっている。
【００４２】
また、図示は省略するが、本実施形態では、腕時計ケース２に形成されている切り欠き部及びバンド３に形成されいる切り欠き部は、連結部材４の補強部４８の形状に合うように、腕時計ケース２側からバンド３側にかけて、上面視ほぼＸ字型となる形状に形成される。
【００４３】
なお、その他の構成は、第１の実施形態と同様であることから、同一部材には同一の符号を付して、その説明を省略する。
【００４４】
次に、本実施形態におけるバンド取付構造の作用について説明する。
本実施形態において、腕時計ケース２にバンド３を取り付ける際には、まず、連結部材４を、接触部４１が腕時計ケース２の裏面側に接触するとともに、補強部４８の凸部４４が形成されている側が腕時計ケース２側に位置するように配置して、連結部材４の補強部４８を腕時計ケース２のバンド取付部の切り欠き部に嵌め込む。次に、バンド３の連結部を腕時計ケース２のバンド取付部に嵌め込む。このとき、連結部の切り欠き部に連結部材４の補強部４８が嵌め込まれる。そして、腕時計ケース２の棒受け孔２７とバンド３の貫通孔３１と連結部材４の貫通孔４３とを貫くようにばね棒５を挿通させることにより、バンド３が腕時計ケース２に取り付けられる。
連結部材４の補強部４８は、バンド３側の断面積が腕時計ケース２側の断面積よりも小さいことにより、腕時計１を腕に装着した際、バンド３が、腕時計ケース２に対しては強固に連結された状態を保ちながら、腕の動き等に応じて柔軟に撓り、腕にフィットする。
【００４５】
なお、その他の点については、第１の実施形態等と同様であることから、その説明を省略する。
【００４６】
以上のように、本実施形態によれば、第１の実施形態等と同様の効果を得られる他、以下の効果を得ることができる。
すなわち、本実施形態では、連結部材４に上面視においてほぼＸ字型の補強部４８が設けられており、この補強部４８のバンド３側の断面積が腕時計ケース２側の断面積よりも小さくなるように断面積の調整を行っている。
このように、補強部４８が連結部材４の幅方向に拡がりを持つ場合には、接触部４１を面で支えることができる。また、補強部が平板状である場合と比較して、バンド３の幅方向の中央部分やその近傍ににとどまらず、腕時計１やバンド３全体についての撓り具合の調整をより適切に行うことができる。これにより、腕時計ケース２側においては、接触部４１をしっかりと支えることができるとともに、バンド３側では、腕やバンド３の動きに柔軟に対応することができ、ユーザが腕時計１を腕に装着した際に、優れたフィット感を得ることができる。
【００４７】
なお、補強部４８の形状は、ここに例示したものに限定されず、例えば上面視においてＨ字型等に形成されてもよい。
【００４８】
なお、以上本発明の実施形態について説明したが、本発明は、かかる実施形態に限定されず、その要旨を逸脱しない範囲で、種々変形が可能であることは言うまでもない。
【００４９】
例えば、上記各実施形態では、連結部材４の補強部が、腕時計ケース２側の断面積よりもバンド３側の断面積が小さくなるように構成されている場合を例示したが、断面積の調整は、腕時計ケース２側からバンド３側へのバンド３の延在方向における調整のみに限定されない。
例えば、上記第３の実施形態、第４の実施形態のように、連結部材４の幅方向に補強部の端部が複数存在している場合には、連結部材４の幅方向においても補強部の断面積を変える調整を行ってもよい。
すなわち、例えば、連結部材４が、図１３（ａ）及び図１３（ｂ）に示す補強部４７や、図１４（ａ）及び図１４（ｂ）に示す補強部４８を備える場合には、補強部４７、４８の各部の断面積を、腕時計ケース２側における断面積よりもバンド３側における断面積の方が小さくなるようにし、さらに、連結部材４を腕時計１に取り付けた際に腕の付け根に近い側に配置される補強部４７、４８の断面積よりも手首に近い側に配置される補強部４７、４８の断面積の方が小さくなるようにしてもよい。
腕時計１が装着される腕は、手首側が細く、腕の付け根側に行くにしたがって徐々に太くなり、僅かにテーパ状となっている。このため、上記のように連結部材４の補強部における手首に近い側を腕の付け根に近い側よりも撓りやすくすることで、より一層腕に装着した際のフィット感が向上する。
【００５０】
具体的には、例えば、腕時計１を左腕に装着する場合であって、図１３（ａ）及び図１４（ａ）における連結部材４を腕時計１の６時側（図１における下側）に連結する場合であれば、補強部４７、４８のｂ部分の断面積が４７、４８のａ部分の断面積よりも小さくなるようにし、補強部４７、４８のｄ部分の断面積が４７、４８のｃ部分の断面積よりも小さくなるようにするとともに、手首に近い側に配置される補強部４７、４８のｃ部分の断面積が４７、４８のａ部分の断面積よりも小さくなるようにし、同様に補強部４７、４８のｄ部分の断面積が４７、４８のｂ部分の断面積よりも小さくなるようにする。なお、腕時計１の１２時側（図１における上側）に連結する連結部材４は、手首に近い側に配置される補強部４７、４８のａ部分の断面積が補強部４７、４８のｃ部分の断面積よりも小さくなるようにし、補強部４７、４８のｂ部分の断面積が４７、４８のｄ部分の断面積よりも小さくなるようにする。
また、前述したように、連結部材４は、ユーザ自身で容易に着脱が可能なものであることから、腕時計１を左腕に装着するか、右腕に装着するかによって、ユーザが連結部材４を適宜入れ替えてもよい。すなわち、上記の例とは逆に腕時計１を右腕に装着する場合には、補強部４７、４８のｃ部分の断面積が４７、４８のａ部分の断面積よりも小さく、補強部４７、４８のｄ部分の断面積が４７、４８のｂ部分の断面積よりも小さくなるように形成されている連結部材４を腕時計１の１２時側（図１における上側）に連結し、補強部４７、４８のａ部分の断面積が補強部４７、４８のｃ部分の断面積よりも小さく、補強部４７、４８のｂ部分の断面積が４７、４８のｄ部分の断面積よりも小さくなるように形成されている連結部材４を腕時計１の６時側（図１における下側）に連結する。
補強部４７、４８の各部の断面積を補強部４７、４８の高さのみで調整している場合には、上記のように腕時計１の１２時側に配置する連結部材４と６時側に配置する連結部材４とを入れ替えても切り欠き部２８，３３に嵌め込むことができ、連結部材４を挟み込んだ状態でバンド３を腕時計ケース２に連結することができる。
【００５１】
また、本実施形態では、腕時計１の１２時側と６時側とに連結部材４を配置する場合を例としたが、連結部材４は、腕時計１の１２時側及び６時側の両方に配置されている場合に限定されず、いずれか一方のみに配置されていてもよい。
【００５２】
また、腕時計１の１２時側に配置する連結部材４と６時側に配置する連結部材４とは同じものでなくてもよい。
例えば、腕時計１の１２時側と６時側とにそれぞれ異なる色の連結部材４を配置してもよい。
また、腕時計１の１２時側と６時側とに接触部４１の形状等の異なるものを配置してもよい。例えば、腕時計１の１２時側に配置する連結部材４の接触部４１の厚みを６時側に配置する連結部材４の接触部４１よりも厚くしてもよい。腕時計等を装着する腕は、断面において若干楕円形をしており、腕時計を装着しているうちに、腕時計における１２時側にバンド３が回転してずれやすい。この点、腕時計１の１２時側に配置する連結部材４の接触部４１の厚みを腕時計１の６時側に配置する連結部材４の接触部４１の厚みよりも厚くした場合には、１２時方向への回転を抑制することができる。
【００５３】
また、本実施形態では、腕時計ケース２及びバンド３に形成されている切り欠き部２８，３３が、腕時計ケース２及びバンド３の裏面側から表面側に貫通しており、連結部材４の補強部４２の上端部４２ａが、腕時計ケース２及びバンド３の表面側に露出している場合を例示したが、切り欠き部２８，３３は腕時計ケース２及びバンド３の裏面側から表面側に貫通しているものに限定されない。
【００５４】
また、本実施形態では、腕時計ケース２とバンド３とは連結部分に棒状部材であるばね棒５を挿通させることにより連結されている場合を例としたが、本発明は、本体ケースとバンドとの連結部分に連結部材４が配置されて連結されていればよく、腕時計ケース２とバンド３との連結手法はばね棒を用いたものに限定されない。
【００５５】
また、本実施形態では、バンド取付構造を腕時計に適用した場合を例として説明したが、バンド取付構造を適用するものは本体ケース（本実施形態では腕時計ケース）とこれに取り付けられるバンドを備えるものであればよく、腕時計に限定されない。例えば、歩数計、心拍計や脈拍計等の生体情報表示装置、高度情報や気圧情報等の表示装置、携帯型のプレーヤ等、バンドによって腕に装着可能な各種の機器に本発明のバンド取付構造を適用してもよい。
【００５６】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
腕に装着されるバンドを本体ケースに取り付けるバンド取付構造において、
前記本体ケースと前記バンドとの連結部分に、前記本体ケース及び前記バンドにその裏面側から接触する接触部と、該接触部における前記本体ケース及び前記バンドの裏面側に接触する面から前記本体ケース及び前記バンドの表面側に向かって立設された補強部と、を備える連結部材が配置され、
前記本体ケース及び前記バンドに、前記連結部材の前記補強部が嵌め込まれる切り欠き部が形成されていることを特徴とするバンド取付構造。
＜請求項２＞
前記本体ケース及び前記バンドに形成されている前記切り欠き部は、前記本体ケース及び前記バンドの裏面側から表面側に貫通しており、
前記連結部材の前記補強部の上端部は、前記本体ケース及び前記バンドの表面側に露出していることを特徴とする請求項１に記載のバンド取付構造。
＜請求項３＞
前記本体ケースと前記バンドとは連結部分に棒状部材を挿通させることにより連結されており、
前記連結部材の前記補強部には、前記棒状部材を挿通させる貫通孔が形成されていることを特徴とする請求項１又は請求項２に記載のバンド取付構造。
＜請求項４＞
前記連結部材の前記補強部は、前記本体ケース側における断面積よりも前記バンド側における断面積が小さくなるように構成されていることを特徴とする請求項１から請求項３のいずれか一項に記載のバンド取付構造。
【符号の説明】
【００５７】
１        腕時計
２        腕時計ケース
３        バンド
４        連結部材
５        ばね棒
２１      ケース枠体
２７      棒受け孔
２８      切り欠き部
３１      連結部
３２      貫通孔
３３      切り欠き部
４１      接触部
４１ａ    凹部
４２      補強部
４３      貫通孔
４４      凸部
【図１】
2014151094.tif 000003
【図２】
2014151094.tif 000004
【図３】
2014151094.tif 000005
【図４】
2014151094.tif 000006
【図５】
2014151094.tif 000007
【図６】
2014151094.tif 000008
【図７】
2014151094.tif 000009
【図８】
2014151094.tif 000010
【図９】
2014151094.tif 000011
【図１０】
2014151094.tif 000012
【図１１】
2014151094.tif 000013
【図１２】
2014151094.tif 000014
【図１３】
2014151094.tif 000015
【図１４】
2014151094.tif 000016